(57)【要約】      （修正有）【課題】大きな径のだまの通過を上手く阻止しながら目詰まりの発生を可及的に少なくして、単位時間当たりの粉体の通過量を大幅に増大でき、効率の良い投入を可能にする。【解決手段】セメント粉の収蔵用サイロの投入口に設けられたカップリングに挿抜自在に装填され、側周面１Ａ全域と挿入側底面にそれぞれ多数のセメント粉通過間隙６を備えて構成され、前記カップリングに嵌入されるとその側周面１Ａ全域とカップリング並びに投入口のセメント粉流下用流路内周面との間には粉体の流下空間が形成される。【選択図】図１
2006298628.tif 000002
【特許請求の範囲】
【請求項１】
粉体の収蔵用タンクの投入口内に挿抜自在に装填され、側周面全域と挿入側底面にそれぞ
れ多数の粉体通過間隙を備えて全体が筒状に形成されてなり、この側周面全域と投入口の
内周面との間には粉体の流下空間が形成されるようにしてなることを特徴とする粉体のだ
ま除去かご。
【請求項２】
上下一対のリング体と、この両リング体に周方向に所定の間隔を置いて端部を一体的に連
結固定された周面形成用スティック体と、下方のリング体に所定間隔おきで互いに平行に
して一体的に連結固定された底面形成用スティック体とからなる請求項１又は請求項２の
いずれかに記載の粉体のだま除去かご。
【請求項３】
正面視で台形状を呈している請求項１又は２のいずれかに記載の粉体のだま除去かご。
【請求項４】
正面視で長方形状を呈している請求項１又は２のいずれかに記載の粉体のだま除去かご。
【発明の詳細な説明】
【技術分野】
【０００１】
本発明は、製造工場からタンクローリー車に積載された例えばセメントなどの粉体を出
荷先のセメントサイロなどの貯蔵用タンクに納入する際、主としてだまなどの異物がこの
貯蔵用タンクに混入するのを未然に防止するための粉体のだま除去かごに関する。
【背景技術】
【０００２】
従来この種粉体をタンクローリー車０１から出荷先の貯蔵用タンク０２へ納入するには
、図５に示すように、貯蔵用タンク０２から延出された受入れ用の配管０３の投入口０４
のカップリング０５にタンクローリー車０１の粉体搬入ホース０６の先の繋ぎ口０７を嵌
合、固定し、タンクローリー車０１側のコンプレッサー（図外）の圧送力によってタンク
ローリー車０１内の粉体を貯蔵用タンク０２内へ強制的に送り込む手法が採用されていた
。尚、図中０８は次作業工程、例えばパッチャープラント０９などへこの貯蔵用タンク０
２内に収容されたセメント粉を送り込む為の送り配管である。また、特許文献１に開示さ
れた技術では、セメントサイロからはスクリューコンベヤによって次作業工程であるミキ
サープラントへ送るようにしてある。
【特許文献１】実開平７−４３１２６号公報
【発明の開示】
【発明が解決しようとする課題】
【０００３】
このような従来の手法では、工場出荷時から既に粉体に混入していたり、搬送途中で生
成しただまが直に貯蔵用タンク内に搬入されてしまい、以降のミキシング作業などに大き
な支障を来たしていた。この問題点を解決する手法は未だ実現していない
【０００４】
本発明者は、この従来の手法の問題点を解決すべく、種々検討を重ねた。その結果、貯
蔵用タンクの投入口に金網をあてがい、この金網を通してタンクローリー車内の粉体を送
り込む手法を試みた。この手法ではだまが貯蔵用タンク内に送り込まれるという問題点は
何とか上手く解決できそうに見えた。
【０００５】
しかし、何度も実験を重ねてみたが、投入口０４に金網０１０を配置しておく手法では
、粉体を能率良く貯蔵用タンク０２内に搬入できないことが分かった。その理由を詳細に
検討したところ、金網０１０は粉体の搬送経路に直行して、これを遮るような形で配置さ
れるので、粉体の通過空隙が少ない。つまり、貯蔵用タンク０２の投入口０４の開口径に
対しこの金網０１０の網目の開口面積が相対的に少なく、単位時間当たりの粉体の通過量
が大きく制限される結果であることが分かった。また、だまの大きさも大から小まで種々
であるが、次工程の処理効率などを考え合わせると、１５ｍｍまでが混入される大きさの
限界であり、１５ｍｍを超えると、この後処理上の問題に加えて、早期の内に金網０１０
が目詰まりし、以降の粉体搬送が不可能になることも分かった。
【０００６】
したがって、本発明の課題は、大きな径のだまの通過を上手く阻止しながら目詰まりの
発生を可及的に少なくして、単位時間当たりの粉体の通過量を大幅に増大でき、効率の良
い投入を可能にする点にある。
【課題を解決するための手段】
【０００７】
以上の技術的な課題を解決するために、本発明の請求項１に係る粉体のだま除去かごは
、粉体の収蔵用タンクの投入口内に挿抜自在に装填され、側周面全域と挿入側底面にそれ
ぞれ多数の粉体通過間隙を備えて全体が筒状に形成されてなり、この側周面全域と投入口
の内周面との間には粉体の流下空間が形成されるようにしてなるものである。
【０００８】
上記のような構成によれば、粉体の収蔵用タンクの投入口内にこのだま除去かごを挿入
する。次いで、タンクローリー車の粉体搬送ホースの先端をこの収蔵用タンクの投入口に
接続し、コンプレッサーなどを作動させ、タンクローリー車内の粉体をこの粉体搬送ホー
スからだま除去かごを介し、投入口から収蔵用タンク内へ圧送し、粉体を収蔵用タンクへ
強制的に送り込む。
【０００９】
この際、タンクローリー車から送られてくる粉体はだま除去かごの周面と底面との多数
の粉体通過間隙を潜り抜けて投入口内方へと流下するが、特にだま除去かごは投入口を流
下する粉体の流下方向に長く延びた側周面で、しかも多数の粉体通過間隙が存在していて
、この投入口の開口径に対しこのだま除去かごの側周面の開口面積が相対的に格段に多く
、単位時間当たりの粉体の通過量が可及的に多くなる。しかもこのだま除去かごの側周面
全域と投入口の内周面との間に形成されている流下空間の存在によって、例えばこの投入
口を流下する粉体の流下方向に直行する方向に張り渡された金網などと違って、粉体の流
下抵抗も可及的に少なくなる。
【発明の効果】
【００１０】
したがって、この発明は以下の効果を奏する。
以上説明したように、本発明の請求項１に係るだま除去かごは、単位時間当たりの粉体
の通過量を可及的に多くすることができるので、能率よく粉体の貯蔵用タンク内への搬送
を可能にする。しかも、粉体流下方向に長く、且つ、多数の粉体通過間隙が存在している
ので、通常の粉体はこれを抵抗少なく搬送流下できる反面、だまはこの所定幅の粉体通過
間隙手前で上手く、それ以上の流下を阻止でき、不用意にだまを貯蔵用タンク内へ送り込
むのを防止し、併せてだまのそれ以上の流下を阻止しながらも、通常の粉体の流下は、短
時間の内にこれらの所定幅の粉体通過間隙が詰まらるおそれを上手く阻止して、能率的な
粉体の貯蔵用タンク内への搬送を可能にする。
【００１１】
以上の構成において、この発明では請求項２に記載のように、上下一対のリング体と
、この両リング体に周方向に所定の間隔を置いて端部を一体的に連結固定された周面形成
用スティック体と、下方のリング体に所定間隔おきで互いに平行にして一体的に連結固定
された底面形成用スティック体とから構成されるのが望ましい。
だま除去かごそのもの構造を簡素にでき、併せ製造も容易で、廉価に提供できるからで
ある。
【００１２】
また、この発明では、請求項３に記載のように、だま除去かごは正面視で台形状の形状
のものを採用したり、請求項４に記載のように、長方形状の形状のものを採用することが
できる。
このだま除去かごを貯蔵用タンクの投入口へ単に挿入するだけで、自ずとこのだま除去
かごの側周面全域と投入口の内周面との間に、粉体の流下空間を形成でき、粉体の流下抵
抗を格段に少なくでき、効率の良い流下を可能にすることができるからである。特に、正
面視で台形状の形状を採用した場合には、このだま除去かごを貯蔵用タンクの投入口へ単
に挿入するだけで、自ずとこのだま除去かごの投入口へのセットが行なわれる上に、この
だま除去かごの側周面全域と投入口の内周面との間に、投入口奥側ほど広がる粉体の流下
空間を形成でき、粉体の流下抵抗を格段に少なくでき、効率の良い流下を可能にすること
ができるからである。
【発明を実施するための最良の形態】
【００１３】
大きな径のだまの通過を上手く阻止しながら目詰まりの発生を可及的に少なくして、単
位時間当たりの粉体の通過量を大幅に増大でき、効率の良い投入を可能にするという目的
を、格段に簡素な構造、低コストで実現できるようにした。
【実施例１】
【００１４】
本発明に係るだま除去かごをセメント粉のだま除去に採用した場合の第１の実施例につ
いて、図１〜図３を参照しながら以下具体的に説明する。
【００１５】
図１は、この第１の実施例に係るだま除去かごの全体外観図である。
だま除去かご１は、大径の入り口リング体２と小径の底リング体３の二つのリング体と
、それらを一体に繋ぐ、周面形成用スティック体としての多数の棒状の格子４と、更に底
リング体３に実質な底面を形成する、底面形成用スティック体としての多数の底面格子５
から構成される。これらの各入り口リング体２、底リング体３、そして棒状の格子４、更
には底面格子５は、それぞれステンレス製の丸棒から形成されている。ステンレスを採用
するのは、だま除去をする上で、また、目詰まりを少なくする上で、更には耐久性を高め
る上で、種々実験をした結果、最も望ましいと分かったからである。
【００１６】
図１、２に示すように、所定間隔を置いて互いに平行に配される入り口リング体２と底
リング体３とを、夫々の周方向に所定の等間隔をおいて配した格子４で連結しているので
、全体形状は、正面視で、上背のある台形形状を呈する。各リング体２, ３と格子４とは
溶着さて、一体に接続されている。
【００１７】
この各リング体２, ３と格子４との接続は、図示するように、入り口リング体２とは格
子４の上端外周面がこの入り口リング体２の内周面に接当する状態で溶接される。また、
底リング体５とは格子４の下端端面（切り口）がこの底リング体３の上側周面に接当する
状態で溶接される。特に、下端の処理をこのようにしたのは、セメント粉の流下抵抗を可
及的に少なくするためである。つまり、格子４の下端端面の投影下に底リング体３が存在
するように配慮されている。底リング体３が格子４の端面の内、外何れの側にあっても、
格子４の下端周面からこの底リング体３が食み出てしまい、セメント粉の大きな流下抵抗
を生じる結果となるからで、理想的な構成で、大変望ましい形態である。ただし、この形
状は大変望ましい形の一つを例示したものであるから、粉体の種類によっては、次善の策
として、上記のように、食み出す形態を採用することも可能である。つまり本発明に係る
だも除去かごはセメント粉以外の粉体にも採用できるからである。
【００１８】
また、底リング体３に設けられる底面格子５は、図１、図２（Ｂ）、（Ｃ）に示すよう
に、互いに平行に配され、しかも相互の間隔は、隣り合う一対の格子４がこの底リング体
３に接続される間隔と同じ寸法、つまりは８ｍｍ前後で、粗密が生じない間隔寸法に設定
されている。セメント粉の流下抵抗を可及的に少なくするためである。
【００１９】
入り口リング体２と底リング体３とは、上記の通り、共にステンレス製の丸棒から形成
されていて、実務上、図３に示すように、貯蔵用タンク８から延出された受入れ用の配管
９の投入口１０に挿抜自在に嵌合される関係上、入り口リング体２は、その直径が１１５
ｍｍ前後、また、底リング体３は７０ｍｍ前後、にそれぞれ寸法設定されている。また、
入り口リング体２と底リング体３を形成する丸棒の径は５ｍｍ前後、格子４並びに底面格
子５を形成するる丸棒の径は３ｍｍ前後のものが採用される。
【００２０】
以上の構成から理解されるように、この発明のだま除去かご１は、図１，２に示すよう
、その側周面全域、つまりは格子４で形成される実質的な側周面１Ａと、挿入側底面、つ
まり底面格子４で形成される実質的な底面１Ｂにそれぞれ格子４と底面格子５によって形
成される多数のセメント粉通過間隙６を備えることになるのである。
【００２１】
このように構成された本発明のだま除去かご１を用いてセメント粉をタンクローリー車
７から出荷先の貯蔵用タンクの一例である貯蔵用サイロ８へ納入するには、図３に示すよ
うに、以下の手法がとられる。すなわち、貯蔵用サイロ８から延出された受入れ用の輸送
管９の投入口１０のカップリング１１に、だま除去かご１を、その底リング体３の側から
嵌入して、これをセットする。だま除去かご１をセットした後、タンクローリー車７のセ
メント粉搬入ホース１２の先の繋ぎ口１３を受入れ用の輸送管９の投入口１０にカップリ
ング１１を介して嵌合、固定する。引き続き、タンクローリー車７側のコンプレッサー（
図外）の圧送力によってタンクローリー車７内のセメント粉を貯蔵用サイロ８内へ強制的
に送り込む。
【００２２】
このカップリング１１は、全体的には筒状を呈し、先端には繋ぎ口１３の嵌入を容易に
するための先細りとなった外向きフランジ１１Ａを備えるとともに、内部は全長にわたっ
て同一の径を備えている。また、その全長はだま除去かご１の全長のほぼ半分の長さ寸法
に設定されている。
【００２３】
ところで、タンクローリー車７から貯蔵用のサイロ８へセメント粉を搬入するに当たっ
ては、このカップリング１１を含めて直管状の受入れ用の輸送管９の投入口１０に台形状
の本発明のだま除去かご１を嵌入して行なうので、必然的に、このだま除去かご１の側周
面全域とカップリング１１の内周面また受入れ用の輸送管９との間には、セメント粉流下
方向の下流側ほど先広がりとなるセメント粉の流下空間１４が形成されることになる。し
たがって、この際、タンクローリー車７から送られてくるセメント粉はだま除去かご１の
側周面１Ａと底面１Ｂとの多数のセメント粉通過間隙６を潜り抜けて受入れ用の輸送管９
の投入口１０内方へと流下するが、特にだま除去かご１は投入口１０を流下するセメント
粉の流下方向に長く延びた側周面１Ａで、しかも多数のセメント粉通過間隙６が存在して
いるので、この投入口１０の開口径に対しこのだま除去かご１の側周面１Ａの開口面積が
相対的に格段に広く、単位時間当たりのセメント粉の通過量を可及的に多くすることがで
きる。しかもこのだま除去かご１の側周面１Ａ全域と投入口１０のセメント粉流下用流路
内周面１０Ａとの間に形成されている流下空間１４の存在によって、例えばこの投入口１
０を流下するセメント粉の流下方向に直行する方向に張り渡された金網などと違って、セ
メント粉の流下抵抗も可及的に少なくなる。
【実施例２】
【００２４】
次に、この発明に係るだま除去かごの第２の実施例を以下に示す。
この第２実施例では、だま除去かご１の全体形状を、先の実施例１と違って、図４（Ａ
）、（Ｂ）に示すように、直管状にした点である。つまりは、だま除去かご１の先端から
底面までの径を同一にして構成してある。
尚、前記実施例１と同じ構成にはこの実施例１に用いたのと同じ符号で指し示し、詳細
な説明は省略する。
【００２５】
この構造では、図４（Ｂ）に示すように、前記流下空間１４は投入口１０の先端からセ
メント粉流下方向の下流端までが、つまりはカップリング１１と輸送管９との間に形成さ
れる流下空間１４は夫々の場所で、同じ幅となり、セメント粉の流下抵抗を一層少なくで
きる。
【００２６】
以上の各実施例において、特に格子４はセメント粉の流下方向に沿って両リング体２，
３間に配されているので、側周面１Ａのセメント粉通過間隙６は、同様にセメント粉の流
下方向に沿った通過間隙となるので、セメント粉の流下を抵抗少なく効率的に達成できる
利点がある。
【００２７】
尚、この構造では、前記流下空間１４をだま除去かご１の側周面の全域にわたって同じ
にすることがもっとも望ましい形であり、そのためにはだま除去かご１の中心と投入口１
０の中心を可及的に一致させるのが理想的である。この互いの中心を一致させるには、例
えば入り口リング体２の外周に底面１Ｂ側に向かう縦フランジ１５を一体に設けることに
よって、断面がＶ字形となる嵌入溝１６を形成し、この嵌入溝１６を投入口１０の前記カ
ップリング１１の先端に嵌合させる構造を採用できる。その他、この発明の所期の目的、
要旨を逸脱しない範囲で種々の構造を採用できることは言うまでもない。
【図面の簡単な説明】
【００２８】
【図１】本発明に係るだま除去かごの第１の実施例を示した全体外観図である。
【図２】図１に示されるだま除去かごを示し、（Ａ）は正面図、（Ｂ）は入り口リング体側から見た側面図、は底リング体側から見た側面図である。
【図３】一部を取り出して拡大した作用の説明図である。
【図４】本発明に係るだま除去かご第２の実施例を示し、（Ａ）は一部を取り出して拡大した正面図、（Ｂ）は要部の拡大作用説明図である。
【図５】従来の構造を示し、図３に対応する説明図である。
【符号の説明】
【００２９】
１…だま除去かご
２…入り口リング体
３…底リング体
４…格子
５…底面格子
６…粉体通過間隙
１１…カップリング
１４…流下空間
【図１】
2006298628.tif 000003
【図２】
2006298628.tif 000004
【図３】
2006298628.tif 000005
【図４】
2006298628.tif 000006
【図５】
2006298628.tif 000007